(57)【要約】【課題】  従来は、異なる数字９個を９字×９字の正方形内に３字×３字の中正方形内と縦横とに出題者が先に少しの穴埋めしてあった残り穴目に、９数字が不足なくダブら無いように穴埋めする個人競技だった原案を２人ないし４人での対戦競技に変化させる。【解決手段】  出題者の穴埋めを競技者間で穴埋めするような方法を用い、これを１種の条件等にしたり、更に思考時間制限と埋め直しをペナルティーとして持ち駒増加で勝利への道遠くさせたり、共同での先置き駒制度も採用しての新規競技を開拓せしめた。付属として円盤等の駒を用いたり、簡便競技盤等を投与する。秒時計も併用する。【選択図】図１
0003123675.tif 000002
【実用新案登録請求の範囲】
【請求項１】
正方形又は長方形の盤あるいは競技盤の片面なり両面なりに、適当な大きさの単位長ｌを１辺をとする小正方形の目を縦横に主としてＲ個ずつ並べた小正方形全数がＲ×Ｒ個の大正方形とする方眼図において、整数Ｒの２因数をａ、ｂ（Ｒ＝ａ×ｂ、ａ＝ｂでもａ≠ｂでもよい）として、縦にａ個、横にｂ個を並べた正方形又は長方形のどちらかだけで形成した図形の輪郭を単位区画枠線として、方眼図内に隙間無く配分した時に、方眼図と単位区画枠線の輪郭を太めの線で描き、小正方形の目の輪郭は細い線で描いた場合に、直径が単位長ｌの目よりも大きくない適当な円盤またはそれに何かを付随させて駒としたそのＲ×Ｒ個分を最低必要付属体として、これらの中からＲ個ずつを選び１組ずつとしＲ組を作ってから、夫々の組ごとに同一の数字又は文字又は色又は模様等を施すのに、どの組の駒もが他の組の駒と全く互いに異なる駒と分かるような区分付けの措置が施してある場合に、これらのＲ組の駒のＲ×Ｒ個の全てと、前者の方眼図との両者で１競技用１体とした競技盤と駒類との１式。
【請求項２】
請求項１の小正方形の目を縦横にＲ個ずつ並べた小正方形全数がＲ×Ｒ個の大正方形とする方眼図の中にＲ個の単位区画枠線をきっちり描いた１通り分か別に描ける可能性のある単位区画枠線区分をも、正方形等の不透明板の表面や両面に描いた適当数の競技盤に請求項１のＲ×Ｒ個の駒を添付した競技盤と駒類との１式。
【請求項３】
請求項２の方眼図で、正方形等の不透明板の表面や両面に、Ｒ×Ｒ個の方眼図を描いた競技盤を添付するだけではなく、整数Ｒを４から３６まで変化させた場合の作成可能の全て、あるいは、その中の１部の方眼図を併用した競技盤と請求項１のＲ×Ｒ個の駒とを使用の競技盤と駒類との１式。
【請求項４】
請求項２から請求項３までの方眼図で、正方形等の不透明板の表面や両面に、Ｒ×Ｒ個の方眼図を描いた競技盤を添付するだけではなく、幼児用の教育等の目的での幼児用競技盤の方眼の目の大きさを大きくして表示した競技盤をも収容した、又は大きめな駒をも添付した競技盤と駒類との１式。
【請求項５】
請求項１から請求項４までの競技盤と駒の全てを収容する容器が、少なくても、競技盤の数枚を収容する容器の方眼図面と接する１面が透明であり、収容した方眼図の内の１面が明確に外部から見え、その透明１面を競技盤面の保護用となるような、容易に壊れない容器を用いた競技盤代用を兼ねた容器と必要駒との競技盤と駒類との１式。
【請求項６】
請求項１から請求項５までの競技盤と駒の全てを収容する容器に、木製ないし固形体製の競技盤ないし方眼図を描いた物の表面  に、透明カバーを被せてその表面とそのカバーとの間に方眼図を描いた図面等又は競技盤を挟んで使用する表面を持つ物の競技盤と駒類との１式。
【考案の詳細な説明】
【技術分野】
【０００１】  本実用新案は、個人能力検査用の方眼穴埋め「すうどく」に関わる発展競技物である。
【背景技術】
【０００２】  従来の個人能力検査用「すうどく」は１人で何分間で全ての空き穴部分に適当した数を書き込めるか、との静的な個人対象遊戯に属していた（例えば、新聞娯楽版の非特許非実用新案文献１）が、この本実用新案の原形の「すうどく」は、現在世界的に流行していると言われており、小正方形９行９列の９×９の８１個で大正方形をなす方眼紙面の、縦横３個ずつの９個で１区画３×３とした中正方形の外枠は太い線で区分けしてあり、これらの１区画内には１から９までの数を入れ、かつ、大正方形のどの縦列または横行の９個の数もがどれも１から９までの数の全てを欠かさずダブらさずに記入し終わるのに、最初の１、２割は既成埋め字ありの速さを競う個人遊戯で、第３者は問題にされていなかった。【０００３】  そのために、有益なクイズが他動的に終わり、問題が与えられるだけに甘んじる嫌いがあっての、自己の満足感ないし完成できない落伍感に打ちふさがれる場合もある。それも、更なる考案の上では、将棋や囲碁、麻雀、チェス等との対抗馬としての上昇の可能性も考えられ期待されていたが、個人消費の域を大きく出ているとは聞き及ばずの状況が現況であった。【０００４】
【非特許文献１】「読売新聞東京版  ２００６年４月９日、Ｙ＆Ｙ日曜版（７）頁Ｙ＆Ｙ楽「すうどく数独、パズル制作・ニコリ」（本明細書末尾コピー参照）
【考案の開示】
【考案が解決しようとする課題】
【０００５】  以上に述べた従来の個人能力検査用の「すうどく」では、１人で考え解決するほかはないので、余りにも静的で、周囲の者には解答者が何で苦しんでいるかも、調子良く穴埋め作業が進展しているかの様子は全く分からない。それゆえ、第２者も第３者も、ただ、時間の経過を測定する事だけに無聊をかこつだけに終わることとなっていた。【０００６】  本実用新案は、上の打開のために、年齢が４、５歳からの知的判断力を向上させたり、老若男女を問わずに２人ないし４人での勝負を楽しむと同時に、脳の活性化をほう助できるようにできないか、との潜在的な意図での考案を模索し続けて来た結果として、囲碁等と同様に正方形盤面を用いた形状を用いれば、最適だとの結論に至り、本実用新案でも、その様にしつらえる結果となった。
【課題を解決するための手段】
【０００７】  解決の１例としては、第３図に示した、適当な厚さで正方形状の盤１の表面２上に縦横が８個ずつの方眼部分２７が全部で８×８の６４個あるが、縦横の目４の小正方形が４個と２個ずつの長方形それぞれの周囲を太線で囲んだ境界線を単位区画枠線１６とし、それらの長方形を縦２組ずつ横４組ずつ接続して得る大正方形の外枠太線１０の中に納まる様にすれば、そのままでも対戦用競技盤１とすることができる。もちろん、非公式であれば、それらは白紙上に記載するだけでも済むことができるが、ここでは論外とする。【０００８】  本実用新案は、それだけではなく、小児から名人級の人々までもが同一の盤をそのまま使用できるようにする場合までの意図も含めて、構成した産業的に有効な特徴をも有する。【０００９】  その第１は、対象遊戯体が小児から名人までもが使用できるためには、盤１面を適当な硬さの木製ないしアクリル板での製造時に、経線緯線の枠や線条を印刷ないし印刻してあるような盤１の表面２を使用する事にしてあり、小児から名人までもが共用できる盤１としては、経線５、緯線６の線条は必要とせず、正方形白板使用とするだけで、別個に制作の、両者を印刷等した透明板ないし不透明板ないし印刷紙を表面２に張り付ける時もある。【００１０】  庶民にとって最も経済的な方法は、透明で丈夫な正方形状なり長方形状の適切な袋状の中に、各種の競技用の盤１代りの方眼紙上に、競技では目４の長さｌの正方形を縦横に整数Ｒ個分並べる場合なら１辺がＲ×ｌの大正方形を太い黒線で描き、縦横を幅ｌでＲ−１本の細い黒線で区切るとＲ×Ｒ個の小正方形ができる。Ｒを２個の因数ｐとｑとに分けられたら縦横がｐとｑ個ずつで正方形又は長方形のどちらかばかりで大正方形が埋め尽くせたらそれらの境界線が大正方形の辺と平行になる場合に境界線を太線で描く。これを手製の競技盤として利用し、各種の競技盤を作成し最初の袋の中に収納すると、袋の外から競技盤の状況が良く見え、後の競技盤として充分に利用でき、販売にも利用可能となる。【００１１】  第２に、頭書のクイズでは、その用いる数字が、小正方形に書き込む数字の値が何であるかではなく夫々が別の種であるその区別をするだけあるので、それを個人が書き込みする代りに、数字を印刷等した正方形とか円形の駒等を用いてしまえば、筆記の時間を短縮できると言う目的で、本実用新案では駒１８の使用を趣旨とすることにした。【００１２】  第３には、小児も使用できるようにするには、数字でも良いが、駒を色別作製するとか動物の種別とかのようにすれば、親しめると同時に駒１８の処理が楽になるので、この駒が有用である。しかしながら、大人用の競技となればそれなりの格付けした名称を各駒に与えた方が将棋チェス同様な効果があるので、本実用新案では、名人級としては、目数が縦横が１６目×１６目の、必要使用駒１８の数は２５６駒であるが、夫々同一組（数字なら１〜１６、英語ならＡ〜Ｐ）の１６駒ずつ１６組と競技盤１とで１ゲーム１式になっている競技だが、命名として、駒に地球の平和で平等な国作り競争の意味を英語の頭文字等を繋げて「ＮＡＦＥＥナフィー」とし、同時に、色別の見やすい駒１８として完成させる様にしてあり、その色と共通な役職を表わ���名称は、図１０に示したように、名人級の盤１用として、色と駒名とを１例として次の様に示した。駒１８は目４の大きさよりも大きくなくて、図１０では楕円状で印刷された様になっているが、通常は円盤状である。【００１３】  すなわち、白金の国王、金の王妃（国王の伴侶）、銀の王子王女（略して王子女）、銅の国王の親族（王家と略記した）、緑の大統領（国王と政治と分離して記載した場合）、青の国務官、藍の州公吏（県を入れる場合もあり）、紫の公僕、赤緑の社長、黄緑の実務（担当）、灰の商人、黒の宗教家、赤の（家庭の）夫、橙の妻、黄の家族、白の市民、等である。【００１４】  第４に、前項００１０での透明袋ではなく、分厚い木製の将棋盤とか碁盤の様な本格的な盤１を使用する家庭での場合に、小児には盤１に記載か印刻してある小正方形枠が２センチ角では小さすぎる嫌いがあるので、別に経線５、緯線６での枠線間の幅を大にして判断力を高めたりさせるが、前出図１でのように、盤１と同大の不透明プラスチック等の薄板でカバー７とし、その周囲の縁１２Ａを盤１の縁１２に合わせて下方に折り曲げた状況に作成し、盤１の表面２にピッタリさせるようにしつらえ、かつ、その縁１２Ａの内側には内側に突出する凸起１７を付けたりして脱落を防止させる。すなわち、盤１の縁１２下側面には、表面２と平行に凹ませてある凹み１３に嵌合さして容易にはカバー７が盤１から外れないように表面２とカバー７とがピッタリさせる工夫も設置してある。【００１５】  競技盤に付いて付言しておけば、図１１に示したような、適当な厚さの白紙や白い薄い板等に方眼図を描いて置き、裏表にも異なる競技方眼図を印刷等しておき、これら競技盤を競技盤４８として、まとめて収容する小箱の１面を透明にしておけば、各種のナフィー競技ができることになるし、幼児用からの各種の階層向けのナフィーが到る所で開催できることにもなる。駒１８を収容する箱は別に作ったりも図１１の下側に密接して取り付けてもできるし、その様な工業的製品の出回りで、手軽にナフィーが楽しめることとなる。【００１６】  もちろん、駒数をも大きさも大小に変化さして多くの楽しみも加えることができるので、永年使用とするには、弾力性のある駒１８にして、それらを使用しても容器が壊れない様に、平面図が正方形の駒入れ箱を丈夫に作り、その上面は固く割れない様にしておき、その上にガラス面等を上面にもつ蓋ができるようにしておけば、その上面とガラス間に必要な競技盤４８を随時に取り替え置きができたりできるようにすることで、各種のナフィーを楽しむ事もでき、大きさも競技者の体格に合わせた随意の大きさにもすることもできる。【００１７】  図１では、幼児用のカバー７を盤１の上方から被せる直前を示してあるが、カバー表面２６の方眼図体４９外側の幼児が使用しない部分が不透明になっていれば、盤１での幼児用部分より外側の部分が隠れる状況にできるし、小児向けが完全になる。図７には図６の盤１に被せて幼児用とする様な場合のカバー７の目隠し部１１で隠せる様な平面図を示してある。方眼図体４９は幼児側に近づけた位置に印刷等する場合もある。【００１８】  第５には、親が一緒にか又は複数の小児だけでも遊べるようにするには、盤１面上���乗せる駒が丸い方がなじみやすく、また、色付とか動物とかの駒１８を余分に添加して使用しての色や動物の名の記憶と記憶力増加との双方をかねての教育効果があるといえ、別に大人でも、３、４人での競技では丸い駒のほうが認識の差がなく時間的にも平等となる。【００１９】  第６に、名人級の競技の場合には、小正方形の目４の縦横枠が図１〜図３の場合の様に８個ずつでは物足りないし、あっけないので、縦横の目の枠を１０個ずつにしたり、１６個ずつにする場合がある。２０個ずつや２５個ずつの盤１も制作は難しくはないが、記憶力と判断力との競争では、どの様な駒数までが名人にとっての限界であるかは、実施してみないことには不明であるが、図６に示した１６×１６が大きさの点からも普遍性があると考案者は考えている。このような名人級の競技の場合には、盤１を木製で作成し、縦横の線条等は刻み込む方が品格が増加すると同時に、産業の進行にも貢献する。【００２０】  図６の盤１を使用して、縦横の目４の数が少ない試合をする場合に備えて、１例として、図７に、目の数８×８の方眼図体４９の外側を隠せる様にした、その表面２に印刷等してあるカバー７の平面図を示した。その４隅の縁１２Ａには、その内側に少し出っ張る凸起１７が設置してあり、盤１に被せた時に、その凸起１７が、盤１の縁１２に設置の凹み１３に嵌入するようにしてカバー７の緩みや外れを防止するようにしてある。【００２１】  第７に、図１〜図３には、縦横の小正方形の目４の全数は縦横８個の８×８の数を使用しているが、これらに限らず、縦横が夫々６個、１０個、１２個、１６個、１８個、２０個、２１個、２４個、２５個、…個等の場合が考えられるが、切りが無いので、図５には目４が１０個の場合の１例を、図６には目４が１６個の場合の１例を明確に示した。【００２２】  単位区画枠線１６の効果について調べると、図１での経線５、緯線６での分割縦横の目４が４個の場合には、上方のカバー表面２６の場合同様に対戦方向には単位区画枠線は縦横に２個×２個で相違が無いが、図４では、全目４が、６個×６個で３６個の場合で、１辺６個ゆえ縦横は２個×３個で単位区画線１６を図４通り用いる他なく、図４のままでは２人の対戦方向２０の場合と横方向の対戦とで２通りの穴埋めの相違が生じてしまうだけである。これは個数６が因数２と３の積だけで表わされているからである。その点では、図６の方は１６＝２×８＝４×４と複雑な構成が可能であることが分かる。【００２３】  第５図では、縦横が共に１０個の全１００個の場合で、縦横が２個×５個の小正方形１０個の目４を１０個接続した大正方形で、これに対して、対戦向き２０を垂直方向に変えると、対戦成績にも大きな変化が生じる。図面として示して無いが、縦横が共に１２個の小正方形１４４個の場合には、縦横が共に４個ずつの正方形区画枠９個の場合と、３、４個の１２個長方形区画枠１２個の場合があり、両者の競争には大きな変化をもたらす。同様に、縦横が夫々１５個の全小正方形２２５個の場合では縦横の組み合わせが３、５個の小正方形１５個の中長方形１５個の場合と５、３個の場合とで、同様な変化をもたらす。【００２４】  図６での場合では、目４の数が１６個×１６個の平方数で対称的��場合であるから、正式な競技に使用できるが、縦横を２個×８個とするか８個×２個とするかで、同じ縦横の場合でも競技の行方が２０通り以上なので、参観者には興味がある異なった試合を見学できることになり、興業的にも効果が増す。【００２５】  縦横の小正方形の枠数が多くなるにしたがって、競技の時間が長くなりすぎるので、２人の競技では、例えば、各自の左手前にある中正方形（単位区画枠線１６内）等の太枠線区画内に、試合の前にか最初にかは、設定条件に合うように並べ埋めておくようにしてからとの条件を付けての、競技の前提条件を付けての継続競技をすると言うルールが設定される場合も考えられる。【００２６】  同前と同様の時間節約の場合に、例えば、向かい合う外枠太線１０縁に接する内側の１行ずつとか２行ずつとかを競技開始前に条件に合うように並べて置くとか競技の開始時に其処から埋めて行く様にするとかし、縦方向の小正方形に同一の数や色や模様等の駒が来ないようにしてから自由な競技を開始することもできる。【００２７】  同前で、人数が３人か４人で競技を行なう場合には、外枠太線１０の両端には、誰も駒を競技前には置かないようなルールでの駒並べ後に競技を継続して開始する。【００２８】  競技のル〜ルをまとめて示すと、『Ｉ．持ち駒を種類ごとに等分して分配する。ＩＩ．余り駒等あれば、第３者がか任意場所に任意に置き駒して了解合意する。ＩＩＩ．必要ならば正方形状盤１の縦の列と横の行と中枠内の夫々の数又は色又は模様、絵等を持つ一定数の駒を取り決め部分にダブらさせず欠落させずで埋め尽くした状態に順次に置き駒する。ＩＶ．置き間違いのお手つきや約束時間内に置き駒されない場合には置き駒させずにパスさせる。Ｖ．持ち駒の全てを最初に全部を置き終わった者を勝者とする。』である。【００２９】  販売時に秒時計を添付し、前競技者が置き駒した時点でボタン押しを義務化させる。
【考案の効果】
【００３０】  以下、本実用新案の実施の形態を図１〜図１１に基づいて説明する。【００３１】  図において、どの盤１に付いても、次の様な条件で構成されてある。即ち、適当な厚さ１４の板を適当な大きさの正方形等にした盤１の表面２には、この盤１を使用して利用できる駒１８の最大数で平方数個分だけある全駒１８を並べられる様な、太線書きした外枠３の横と縦との外枠太線８と９で囲まれた、方眼図の外枠３の太さと同じ位の太さで、当該使用全駒数の最大数の平方根相当の個数の駒数で、正方形や長方形をなすようにした単位区画枠線１６で区切られた単位区域の数が、全駒数の平方根数分だけ描かれてある。【００３２】  盤１上に置き並べる駒１８の形状は、正方形や長方形なり多角形なりでも良いが、４人で競技する場合を考えて円形駒が推奨されるが、その駒厚１９は碁石程度ないし将棋駒の厚さの前後が良いと言え、その駒表面２３あるいはその裏にも、同一の文字や数字等の駒文字等２１を記載しておくが、４人での競技では文字を読み間違いをしては不公平になるので、色別での駒の相違を駒１８に与えるか、模様や絵の相違での使用かが推奨される。単純な色違いや同心円の２色使用での相違等が平等であることは確かである。【００３３】  工業用には、駒１８の両駒表面２３部には、銅貨の様なその周辺部が盛り上がった駒縁凸起２２の内側が凹んだ面にする様にして、別にその凹みの大きさに合わせた形状の紙製とかプラスチック製とかの色、数、文字、絵、模様等を印刷なりしてあるラベル２４をその利用者に張ってもらうようにすれば、販売単価の引き下げも可能である。【００３４】  このカバー７の表面には第４図の様に子供用大正方形の６×６の６区切りした中枠区域９Ａ等で６個に区分された外枠太線１０の外側には目隠し部１１が幼児を楽しめる色塗りや絵、模様が描かれてある様子を示している。【００３５】  この小児用に転用する場合に、ムードよりも実質的無器用な幼児の置き方を援助する目的とする場合には、目隠し部１１にまでに方眼図体４９を拡大させれば方眼部分２７の大きさも拡大して幼児用に適したカバー７とすることもできる。【００３６】  第１図にはそのカバー７を被せる直前の様子図を示した。この場合には盤１の縁１２の厚み部分に少し凹み１３が設置してあり、そこにカバー７の周囲の縁厚１５が部分的にはめ込みができるようなカバー縁内凸起１７が設置してある。【００３７】  第６図には、制作目的が名人級の盤１とする例として示した。これは、小正方形の目４が１６×１６の大正方形の外枠太線１０の中に同４×４の単位区画枠線１６の１６個分を縦横に４個分ずつ設置した対戦可能盤１の平面図を示した。これは１個の駒１８置き時間２０秒制限いっぱいでも１時間半近くかかるので、この大きさが公式対戦時での標準盤になる可能性がある。駒の大きさが２センチであれば、この盤１の大きさは外枠３間の幅が３２センチなので、大きさとしては競技用に向いていると言えるが、もっと大きい方も推奨できる。【００３８】  前競技用盤１にカバー７を掛けて、この表面２６上に小正方形の目４を８個×８個の子供向けの盤の代用とする場合のカバー７の平面図を第７図に示したが、そのＡＢ間の断面図の１例を第８図に示した。
【産業上の利用可能性】
【００３９】  本実用新案の公開販売によっては、競争世界になじむ世界中の人々に、判断力と記憶力と観察力と作戦力の向上を目指せる競技に加えて若返り効果をもたらし、経済効果も絶大となるがゆえに、世界的な囲碁、将棋、麻雀、チェス、トランプ、花札、カルタ、百人一首等と並ぶ、第９の対戦ゲームが展開される事までもが容易に予想され、その産業上の利用可能性効果が絶大であることが断定できる。【００４０】  広範囲の本実用新案での対戦熱が向上してくれば、盤１や駒１８等の高級品の制作需要が高まり、産業上に大きな役割を果たすこととなるのは、目に見えて貢献できる状況にあるとも断言できる。
【図面の簡単な説明】
【００４１】
【図１】  本実用新案実施形態の盤とその上方に駒８個乗せたカバーとを斜め上方から見た俯瞰図
【図２】  盤の表面上に競技用方眼の１例８個×８個方眼図上に駒１個を載せた単独の盤の俯瞰図
【図３】  前盤上に印刷等した競技用方眼の１例の８個×８個方眼図の使用の１例を示した平面図
【図４】  前盤表面に被せて別競技用の方眼の１例６個×６個方眼図を記載したカバーの１例の平面図
【図５】  前々図の盤上に別な１０個×１０個方眼図記載のカバーの１例を示した平面図
【図６】  本格的競技用に作成の盤表面に１６個×１６個方眼図を記載した状況を示す盤の平面図
【図７】  同上の競技用盤上に被せるカバー表面上に８個×８個方眼図１例を記載したカバーの平面図
【図８】  同前図７のカバーに記載のＡ−Ｂ線で縦断した断面図とカバー内側の側面図
【図９】  本格的競技用の駒の形態を示す駒１個の１例の俯瞰図
【図１０】  ナフィー平等地球国競技１６駒１覧図
【図１１】  簡易競技用の袋詰め各種競技種目別競技盤入りの透明袋の１例を示す鳥瞰図
【符号の説明】
【００４２】１      盤
２      （盤の）表面
３      （方眼図の）外枠
４      目
５      経線
６      緯線
７      カバー
８      縦外枠太線
８Ａ    区画縦線
９      横外枠太線
９Ａ    区画横線
１０    外枠太線
１１    目隠し部
１２    （盤の）縁
１２Ａ  （カバーの）縁
１３    （盤縁の）凹み
１４    （盤の）厚さ
１５    （カバー縁の）厚さ
１６    単位区画枠線
１７    （カバー縁の）凸起
１８    駒
１９    駒厚
２０    ２人対戦方向
２１    駒文字等
２２    駒縁凸起
２３    駒表面
２４    （駒の）ラベル
２５    ナフィー平等地球国１６駒（２５Ａ〜２５Ｐ）
２５Ａ  白金  国王
２５Ｂ  金    王妃
２５Ｃ  銀    王子女
２５Ｄ  銅    王家
２５Ｅ  緑    大統領
２５Ｆ  青    国務官
２５Ｇ  藍    州公吏
２５Ｈ  紫    公僕
２５Ｉ  赤緑  社長
２５Ｊ  黄緑  実務
２５Ｋ  灰    商人
２５Ｌ  黒    宗教家
２５Ｍ  赤    夫
２５Ｎ  橙    妻
２５Ｏ  黄    家族
２５Ｐ  白    市民
２６    カバー表面
２７    方眼部分
２８    容器の底面
２９    容器の透明上面
３０    １枚目の方眼図の奥端
３１    容器の左側面
３２    容器の底面
３３    ４枚目の競技盤
３４    競技盤挿入口
３５    ２枚目の競技盤上方眼図
３６    ３枚目の競技盤上方眼図
３７    ３枚目の競技盤
３８    ４枚目の競技盤上方眼図
３９    ４枚目の競技盤
４０    容器底面（１枚目の競技盤の奥端）
４１    容器の底面と右側面との稜線（１枚目の競技盤の奥端）
４２    ２枚目の競技盤の方眼図の最奥端
４３    ３枚目の競技盤の方眼図の最奥端
４４    ４枚目の競技盤の方眼図の最奥端
４５    容器の競技盤入口端
４６    ２枚目の競技盤の手前側右端
４７    ３枚目の競技盤の手前側右端
４８    競技盤
４９    方眼図体
【図１】
0003123675.tif 000003
【図２】
0003123675.tif 000004
【図３】
0003123675.tif 000005
【図４】
0003123675.tif 000006
【図５】
0003123675.tif 000007
【図６】
0003123675.tif 000008
【図７】
0003123675.tif 000009
【図８】
0003123675.tif 000010
【図９】
0003123675.tif 000011
【図１０】
0003123675.tif 000012
【図１１】
0003123675.tif 000013